(57)【特許請求の範囲】
【請求項１】
第１操作手段および第２操作手段と表示装置とを有し、第１機能と第２機能とを並列的に処理することができる携帯端末であって、
前記表示装置は、前記第１機能の操作画面および前記第２機能の操作画面を表示可能であり、
前記第１機能と前記第２機能とが並列的に処理されている状態で、前記表示装置に前記第２機能の操作画面が表示されており、前記第１機能の操作画面が表示されていない場合、前記第１操作手段によって前記第１機能の操作画面に示される操作を行い、前記第２操作手段によって前記第２の機能の操作を行うことが可能な携帯端末。
【請求項２】
前記第１機能は、音楽プレーヤ機能であり、前記第１機能の操作画面に示される操作は、音楽データの音量を調整する操作を含む請求項１に記載の携帯端末。
【請求項３】
前記第１機能と前記第２機能とが並列的に処理されている状態で、前記表示装置に前記第１機能の操作画面が表示されていない場合、前記第１機能は前記第２操作手段による操作に応じて処理されない請求項１または２記載の携帯端末。
【請求項４】
前記第１機能と前記第２機能とが並列的に処理されている状態で、前記表示装置に前記第１機能の操作画面と前記第２機能の操作画面が同時に表示されている場合、前記第１機能は前記第２操作手段による操作に応じて処理される請求項１から請求項４のいずれか記載の携帯端末。
【発明の詳細な説明】
【技術分野】
【０００１】
この発明は、携帯端末に関し、特にたとえば複数のタスクを処理する、携帯端末に関する。
【背景技術】
【０００２】
この種の装置の一例が、非特許文献１に開示されている。この背景技術によれば、携帯電話端末は、操作キーおよびメインディスプレイを備え、ＳＤ−Ａｕｄｉｏプレイヤー機能やメール（Ｅメール）機能などの複数の機能を有する。メール機能はメールの作成などを行う。そして、ＳＤ−Ａｕｄｉｏプレイヤー機能は、メールの作成を行いながら音楽データの再生をする、ＢＧＭ再生のサブ機能を有する。
【０００３】
また、特許文献１に開示される携帯端末装置は、タッチパネル入力機構および押しボタン入力機構を備えた入力ユニットを含む。また、携帯端末装置は、所定桁数からなる暗証コードを生成する場合に、タッチパネル入力機構または押しボタン入力機構の何れかで入力されたかを区別するコードを付加してコード変換する。これによって、携帯端末装置は、暗証コードを入力するときに、タッチパネル入力機構または押しボタン入力機構の何れかで入力されたことを識別することができる。
【０００４】
さらに、特許文献２に開示される携帯端末装置は、表示部，タッチパネル，キー入力部，タッチパネルからの位置情報によって選択された文字を認識して出力するパネル制御部および文字処理部を備え、タッチパネルおよび表示部を用いて文字の入力動作回数を少なくすることができる。具体的には、文字処理部は、入力対象文字を複数の区分文字群に分割し、区分文字群を代表する文字を代表文字として代表文字群を構成し、文字入力動作開始情報が入力されたときは代表文字群を表示部に表示させ、パネル制御部から入力した文字を代表文字と判断したときはその代表文字の属する区分文字群を表示分に表示させ、パネル制御部から入力した文字を区分文字と判断したときは代表文字群を表示部に表示させて文字入力動作を繰り返すとともに、選択された区分文字を確定文字として出力する。
【先行技術文献】
【非特許文献】
【０００５】
【非特許文献１】Ｗ５３ＳＡ  ｂｙ  ＳＡＮＹＯ  取扱説明書  ８６−９７頁，２５７−２５８頁
【特許文献】
【０００６】
【特許文献１】特開２００７−６００７４号公報［H04M 1/725, G06F 3/048］
【特許文献２】特開２００５−２５８６５３号公報［G06F 3/023, G06F 3/00, G06F 3/033, H03M 11/04, H04M 1/02］
【発明の概要】
【発明が解決しようとする課題】
【０００７】
しかし、非特許文献１の背景技術では、ＢＧＭサブ機能によって、メール機能でメールの作成を行いながら、ＳＤ−Ａｕｄｉｏプレイヤー機能で音楽データを再生する場合に、メインディスプレイにはＳＤ−Ａｕｄｉｏプレイヤー機能の処理経過が表示されておらず、さらに、使用者は操作キーの操作に応じた処理をさせることができない。したがって、ＳＤ−Ａｕｄｉｏプレイヤー機能によって再生されている音楽データの音量などを操作するためには、切替操作によって、メインディスプレイにＳＤ−Ａｕｄｉｏプレイヤー機能の処理経過を表示させる必要がある。さらに、ＳＤ−Ａｕｄｉｏプレイヤー機能およびメ
ール機能では、同一の操作キーの操作によってそれぞれの機能に対応する処理を行うため、使用者が操作キーの操作を間違えることもある。
【０００８】
また、特許文献１および特許文献２の背景技術では、タッチパネル入力機構および押しボタン入力機構を備えた入力ユニットを備えているが、数字列および文字列などを入力する１つの機能のために使用されている。つまり、タッチパネル入力機構および押しボタン入力機構を備えているが、複数の機能を個別に操作することはできない。
【０００９】
それゆえに、この発明の主たる目的は、新規な、携帯端末を提供することである。
【００１０】
この発明の他の目的は、使用者が、並列的に処理される２つ以上の機能のそれぞれに対応する操作を容易に行うことができる、携帯端末を提供することである。
【課題を解決するための手段】
【００１１】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【００１２】
第１の発明は、複数の機能を並列的に処理することができる携帯端末である。携帯端末は、複数の機能のいずれか１つを第１状態に設定し、かつ複数の機能の他の１つを第２状態に設定する状態設定手段、および状態設定手段によって第１状態に設定された機能を第１操作手段の操作に応じて処理し、かつ状態設定手段によって第２状態に設定された機能を第２操作手段の操作に応じて処理する処理手段を備える。
【００１３】
第１の発明では、携帯端末（１０）は複数の機能を並列的に処理することができる。状態設定手段（２０，Ｓ５，Ｓ７，Ｓ９，Ｓ１０３，Ｓ１０５，Ｓ１０７）は、複数の機能のいずれか１つを第１状態（アクティブ）に設定し、かつ複数の機能の他の１つを第２状態（インアクティブ）に設定する。処理手段（２０，Ｓ２１，Ｓ２５，Ｓ３３，Ｓ１１９，Ｓ１２３，Ｓ１３１）は、状態設定手段によって第１状態に設定された機能を第１操作手段（２２，２２ａ〜２２ｆ）の操作に応じて処理し、かつ状態設定手段によって第２状態に設定された機能を第２操作手段（２４）の操作に応じて処理する。つまり、第１状態に設定された機能については第１操作手段の操作に応じて実行され、第２状態に設定された機能については第２操作手段の操作に応じて実行される。たとえば、複数の機能には、メールを作成する機能，音楽データを再生する機能が含まれ、さらに、ワンセグ（携帯電話・移動体端末向けの１セグメント部分受信サービス）機能による映像データを表示させる機能や、テキストデータなどを表示させる機能も含まれる。そして、音楽データを再生する機能が第１状態に設定されれば、音楽データを再生する機能は、第１操作手段の操作に応じて実行されるようになる。また、メールを作成する機能が第２状態に設定されれば、メールを作成する機能は、第２操作手段の操作に応じて実行されるようになる。
【００１４】
第１の発明によれば、第１状態に設定された機能を第１操作手段の操作に応じて処理する一方、第２状態に設定された機能を第２操作手段の操作に応じて処理するため、使用者は、並列的に処理される２つの機能のそれぞれに対する操作を容易に行うことができる。
【００１５】
第２の発明は、第１の発明に従属し、状態切替操作に応答して、第１状態に設定された機能を第２状態に再設定する一方、第２状態に設定された機能を第１状態に再設定する状態再設定手段をさらに備える、携帯端末である。
【００１６】
第２の発明では、状態再設定手段（２０，Ｓ５〜Ｓ９，Ｓ２７，Ｓ１０３〜Ｓ１０７，Ｓ１２５，Ｓ１３７）は、状態切替操作（切替キー２２ｆの押圧）に応答して、第１状態
に設定された機能を第２状態に再設定する一方、第２状態に設定された機能を第１状態に再設定する。つまり、使用者が、状態切替操作を行うと、状態再設定手段によって、第１状態に設定された機能は第２状態に、第２状態に設定された機能は第１状態にそれぞれ設定される。たとえば、状態切替操作が行われると、第２状態にはメールを作成する機能が設定され、第１状態には音楽データを再生する機能が設定される。
【００１７】
第２の発明によれば、使用者は、状態切替操作を行うことで、第１状態に設定された機能を第２状態に、第２状態に設定された機能を第１状態にそれぞれ設定する。したがって、２つの機能と第１操作手段および第２操作手段との間の対応関係が入れ替わるため、使用者は、対応関係を容易に変更することができ、操作性が高まる。
【００１８】
第３の発明は、第１発明または第２の発明に従属し、複数の機能のうち少なくとも１つの機能に従う処理の結果を表示する表示装置、および少なくとも第１状態に設定された機能に従う処理の結果を表示装置に表示させる表示手段をさらに備える、携帯端末である。
【００１９】
第３の発明では、表示装置（２８）は、複数の機能のうち少なくとも１つの機能に従う処理の結果を表示する。表示手段（２０，Ｓ１１，Ｓ１３，Ｓ１５，Ｓ２１，Ｓ２５，Ｓ３３，Ｓ１０９，Ｓ１１１，Ｓ１１３，Ｓ１１９，Ｓ１２３，Ｓ１３１）は、少なくとも第１状態に設定された機能に従う処理の結果を表示装置に表示させる。たとえば、表示装置は、表示手段によって、第１状態に設定されたメールを作成する機能および第２状態に設定された音楽データを再生する機能のうち少なくとも一方の処理の結果が表示される。
【００２０】
第３の発明によれば、表示装置には、少なくとも第１状態に設定された機能が第１操作手段の操作に応じて処理された結果が表示される。これによって、使用者は、第１操作手段または第２操作手段の操作が、意図して行った操作か、意図しないで行った操作かを判別することができる。
【００２１】
第４の発明は、第３の発明に従属し、表示手段は、第１状態に設定された機能に従う処理の結果を表示装置に表示する一方、第２状態に設定された機能に従う処理の結果を表示装置に表示しない、携帯端末である。
【００２２】
第４の発明では、表示装置には、第２状態に設定された機能に従う処理の結果は表示されず、第１状態に設定された機能に従う処理の結果が表示する。たとえば、表示装置には、第２状態に設定された音楽データを再生する機能の処理の結果は表示されず、第１状態に設定されたメールを作成する機能の処理の結果は表示される。
【００２３】
第４の発明によれば、使用者は、第２状態に設定された機能の処理の結果を表示装置に表示させる必要のないと判断すれば、第１状態に設定された機能の処理の結果を表示装置の全体を使って確認することができる。
【００２４】
第５の発明は、第３の発明に従属し、表示手段は、第１状態に設定された機能に従う処理の結果を表示装置の第１エリアに表示し、かつ第２状態に設定された機能に従う処理の結果を表示装置の第２エリアに表示する、携帯端末である。
【００２５】
第５の発明では、表示装置の第１エリア（２８１）には、第１状態に設定された機能に従う処理の結果が表示され、表示装置の第２エリア（２８２）には、第２状態に設定された機能に従う処理の結果が表示される。たとえば、表示装置の第１エリアには、第１状態に設定されたメールを作成する機能の処理の結果が表示され、表示装置の第２エリアには、第２状態に設定された音楽データを再生する機能の処理の結果が表示される。
【００２６】
第５の発明によれば、第１操作手段を操作すれば、第１状態に設定された機能の処理の結果が第１エリアに表示され、第２操作手段を操作すれば、第２状態に設定された機能の処理の結果が第２エリアに表示される。これによって、使用者は、第１操作手段または第２操作手段のどちらを操作しても、自らの操作による処理の結果を確認することができる。これによって、第３の発明と同様に、使用者は、第１操作手段または第２操作手段の操作が、意図して行った操作か、意図しないで行った操作かを判別することができる。
【００２７】
第６の発明は、第１ないし第５の発明のいずれかに従属し、第１操作手段はキー入力装置であり、第２操作手段は表示装置の画面に設けられたタッチパネルである、携帯端末である。
【００２８】
第６の発明では、第１状態に設定された機能は、キー入力装置（２２，２２ａ〜２２ｆ）の操作に応じて処理される一方、第２状態に設定された機能は、表示装置の画面に設けられたタッチパネル（２４）の操作に応じて処理される。
【００２９】
第６の発明によれば、使用者は、キー入力装置およびタッチパネルで操作を行うことができるため、並列的に処理される２つの機能のそれぞれに対応する操作を容易に行うことができる。
【００３０】
第７の発明は、第１ないしは第６の発明のいずれかに従属し、第２操作手段の操作に応じて処理することができない機能が、第２状態に設定されたかを判定する判定手段、および判定手段の出力が否定的である場合に、第２操作手段の操作に応じて処理することができないことを使用者に通知する通知手段を備える。
【００３１】
第７の発明では、判定手段（２０，Ｓ１７，Ｓ５７）は、第２操作手段の操作に応じて処理することができない機能が、第２状態に設定されたかを判定する。通知手段（Ｓ３７，Ｓ１３５）は、判定手段の出力が否定的である場合に、第２操作手段の操作に応じて処理することができないことを使用者に通知する。
【００３２】
第７の発明によれば、第２状態に設定された機能は、通知手段によって、第２操作手段の操作に応じて処理することができないことを使用者に通知される。これによって、使用者は、第２操作手段によって操作できない原因を知ることができる。
【発明の効果】
【００３３】
この発明によれば、第１状態に設定した機能は、第１操作手段の操作に応じて処理し、第２状態に設定した機能は、第２操作手段の操作に応じて処理するため、使用者は、並列的に処理される２つの機能のそれぞれに対応する操作を容易に行うことができる。
【００３４】
この発明の上述の目的、その他の目的、特徴および利点は、図面を参照して行う以下の実施例の詳細な説明から一層明らかとなろう。
【図面の簡単な説明】
【００３５】
【図１】図１は第１実施例および第２実施例の発明の一実施例の携帯端末を示すブロック図である。
【図２】図２は図１の携帯端末の外観を正面から見た図解図である。
【図３】図３は第１実施例および第２実施例に適用されるタッチ入力のパターンの一例を示す図解図である。
【図４】図４は第１実施例に適用される、音楽プレーヤ機能の処理に対応する押圧入力およびタッチ入力の一例を示した図解図である。
【図５】図５は第１実施例に適用される、電子メールサブ機能の処理に対応する押圧入力およびタッチ入力の一例を示した図解図である。
【図６】図６（Ａ）は第１実施例に適用される音楽プレーヤ機能の表示についての一例を示す図解図であり、図６（Ｂ）は第１実施例に適用される電子メールサブ機能の表示についての一例を示す図解図であり、図６（Ｃ）は音楽プレーヤ機能および電子メールサブ機能の同時表示についての一例を示す図解図である。
【図７】図７は図１の携帯端末のＣＰＵによって実行されるマルチタスク管理機能の動作の一部を示すフロー図である。
【図８】図８は図１の携帯端末のＣＰＵによって実行されるマルチタスク管理機能の動作の他の一部を示すフロー図である。
【図９】図９は図１の携帯端末のＣＰＵによって実行されるマルチタスク管理機能の動作のその他の一部を示すフロー図である。
【図１０】図１０は図１の携帯端末のＣＰＵによって実行される１つの機能での入力制御の処理の動作の一部を示すフロー図である。
【図１１】図１１（Ａ）は第２実施例に適用されるワンセグＴＶサブ機能およびワンセグＤＡＴＡサブ機能の同時表示についての一例を示す図解図であり、図１１（Ｂ）は第２実施例に適用されるワンセグＴＶサブ機能の表示についての一例を示す図解図であり、図１１（Ｃ）は第２実施例に適用されるワンセグＤＡＴＡサブ機能の表示についての一例を示す図解図である。
【図１２】図１２は第２実施例に適用される、ワンセグＴＶサブ機能の処理に対応するキー入力およびタッチ入力の一例を示した図解図である。
【図１３】図１３は第２実施例に適用される、ワンセグＤＡＴＡサブ機能の処理に対応するキー入力およびタッチ入力の一例を示した図解図である。
【図１４】図１４は図１の携帯端末のＣＰＵによって実行されるワンセグ機能の動作の他の一部を示すフロー図である。
【図１５】図１５は図１の携帯端末のＣＰＵによって実行されるワンセグ機能の動作のその他の一部を示すフロー図である。
【発明を実施するための形態】
【００３６】
＜第１実施例＞図１を参照して、携帯端末１０は、キー入力装置２２を含む。キー入力装置２２によって発呼操作が行われると、ＣＰＵ２０は、ＣＤＭＡ方式に対応する無線通信回路１４を制御して発呼信号を出力する。出力された発呼信号は、アンテナ１２から送出され、基地局を含む移動通信網を経て通話相手の電話機に送信される。通話相手が着呼操作を行うと、通話可能状態が確立される。
【００３７】
通話可能状態に移行した後にキー入力装置２２によって通話終了操作が行われると、ＣＰＵ２０は、無線通信回路１４を制御して、通話相手に通話終了信号を送信する。通話終了信号の送信後、ＣＰＵ２０は、通話処理を終了する。先に通話相手から通話終了信号を受信した場合も、ＣＰＵ２０は、通話処理を終了する。また、通話相手によらず、移動通信網から通話終了信号を受信した場合も、ＣＰＵ２０は通話処理を終了する。
【００３８】
システム全体が起動している状態で通話相手からの発呼信号がアンテナ１２によって捉えられると、無線通信回路１４は、着信をＣＰＵ２０に通知する。ＣＰＵ２０は、着信通知に記述された発信元情報をＬＣＤモニタ２８から出力し、図示しない着信通知用のスピーカから着信音を出力する。キー入力装置２２によって着呼操作が行われると、通話可能状態が確立される。
【００３９】
通話可能状態では、次のような処理が実行される。通話相手から送られてきた変調音声信号（高周波信号）は、アンテナ１２によって受信される。受信された変調音声信号は、無線通信回路１４によって復調処理および復号処理を施される。これによって得られた受話音声信号は、スピーカ１８から出力される。マイクロフォン１６によって取り込まれた
送話音声信号は、無線通信回路１４によって符号化処理および変調処理を施される。これによって生成された変調音声信号は、上述と同様、アンテナ１２を利用して通話相手に送信される。
【００４０】
図２は、携帯端末１０の外観図である。図２を参照して、携帯端末１０は、板状に形成されたケースＣを有する。アンテナ１２は、ケースＣの長さ方向一方端の側面に取り付けられる。キー入力装置２２は、キー操作群，上方向キー２２ａ，下方向キー２２ｂ，左方向キー２２ｃ，右方向キー２２ｄ，決定キー２２ｅおよび切替キー２２ｆを含み、それぞれのキーは、プッシュスイッチであり、ケースＣの主面に設けられる。ＬＣＤモニタ２８は、ケースＣの主面に取り付けられ、さらにＬＣＤモニタ２８の上面には、タッチパネル入力装置２４が取り付けられる。また、図２では図示しないスピーカ１８に通じる開口ＯＰ１は、ケースＣの長さ方向一方の主面に設けられ、同じく図２では図示しないマイクロフォン１６に通じる開口ＯＰ２は、ケースＣの長さ方向他方の主面に設けられる。つまり、使用者は、開口ＯＰ１を通じて、スピーカ１８から出力される音を聞き、開口ＯＰ２を通じて、マイクロフォン１６に自身の音声を入力する。
【００４１】
また、キー操作群は押圧されることで、たとえば、電話番号の入力操作や携帯端末１０の電源をオン／オフしたりする。さらに、上方向キー２２ａは押圧されることで、たとえば、使用者によって操作可能なカーソルの移動方向を上方向に指示したりすることができる。下方向キー２２ｂは押圧されることで、たとえば、使用者によって操作可能なカーソルの移動方向を下方向に指示したりすることができる。左方向キー２２ｃは押圧されることで、たとえば、使用者によって操作可能なカーソルの移動方向を左方向に指示したりすることができる。右方向キー２２ｄは押圧されることで、たとえば、使用者によって操作可能なカーソルの移動方向を右方向に指示したりすることができる。決定キー２２ｅは押圧されることで、たとえば、使用者によって操作可能なカーソルによって選択した結果を決定する処理をしたりすることができる。切替キー２２ｆについては後述する。また、ここでは、使用者がそれぞれのキーを押圧する操作を「キー入力」と呼ぶことにする。
【００４２】
タッチパネル入力装置２４としては、たとえば、抵抗膜方式、光学式（赤外線方式）および静電容量結合式のいずれかの種類のものを用いることができる。タッチパネル入力装置２４はＬＣＤモニタ２８の画面内の任意の位置を使用者が指示するためのポインティングデバイスである。タッチパネル入力装置２４は、その上面をペン或いは指で、押したり、撫でたり、触れたりされることにより操作されると、操作された操作位置の座標データを出力する。つまり、使用者は、タッチパネル入力装置２４の上面をペン或いは指で、撫でた方向や描いた図形などを携帯端末１０に入力することができる。また、ここでは、使用者がタッチパネル入力装置２４の上面をペン或いは指で、押したり、撫でたり、触れたりする操作を「タッチ入力」と呼ぶことにする。
【００４３】
タッチパネル入力装置２４のタッチ入力のパターンには、図３（Ａ），図３（Ｂ），図３（Ｃ)，図３（Ｄ），図３（Ｅ）および図３（Ｆ）が考えられる。図３（Ａ）〜図３（
Ｆ）に示すタッチ入力は、それぞれの矢印の方向にペン或いは指で、撫でたり、描いたりすることでキー入力装置２２に対応するキー入力を行うことができる。たとえば、図３(
Ａ)に示すタッチ入力は、下から上へ撫でることで、上方向キー２２ａのキー入力に対応
する。図３（Ｂ）に示すタッチ入力は、上から下へ撫でることで、下方向キー２２ｂのキー入力に対応する。図３（Ｃ）に示すタッチ入力は、右から左へ撫でることで、左方向キー２２ｃのキー入力に対応する。図３（Ｄ）に示すタッチ入力は、左から右へ撫でることで、右方向キー２２ｄのキー入力に対応する。図３（Ｅ）に示すタッチ入力は、三角形を描くことで、決定キー２２ｅのキー入力に対応する。そして、図３（Ｆ）に示すタッチ入力は、円を描くことで、図３（Ｅ）に示すタッチ入力と同様にして、決定キー２２ｅのキー入力に対応する。これによって、使用者は、タッチパネル入力装置２４の上面をペン或
いは指で、押したり、撫でたり、触れたりする操作で、キー入力装置２２のそれぞれのキーを押圧する操作と同様の指示することができる。
【００４４】
ここで、携帯端末１０は複数の機能を有し、複数の機能には、音楽プレーヤ機能，電子メール機能およびマルチタスク管理機能などが含まれる。音楽プレーヤ機能は、フラッシュメモリ３４に記憶される音楽データを再生し、スピーカ１８から音声を出力させる。また、図４に、音楽プレーヤ機能の処理に対応するキー入力およびタッチ入力の入力対応を示す。なお、スピーカ１８以外のスピーカを携帯端末１０に設けて、スピーカ１８以外のスピーカから音声を出力させるようにしてもよい。
【００４５】
図３および図４を参照して、「再生」処理は、音楽データの再生が一時停止中に決定キー２２ｅをキー入力するか、音楽データの再生が一時停止中に図３（Ｅ）に示すタッチ入力をすればよい。「一時停止」処理は、音楽データの再生中に決定キー２２ｅをキー入力するか、音楽データの再生中に図３（Ｆ）に示すタッチ入力をすればよい。「選曲」処理は、右方向キー２２ｄまたは左方向キー２２ｃをキー入力するか、図３（Ｄ）または図３（Ｃ）に示すタッチ入力をすればよい。また、右方向キー２２ｄのキー入力および図３（Ｄ）に示すタッチ入力によって行う「選曲」処理は、現在選択されている曲（音楽データ）に対して、次の曲（音楽データ）を選曲し、左方向キー２２ｃのキー入力および図３（Ｃ）に示すタッチ入力によって行う「選曲」処理は、現在選択されている曲（音楽データ）に対して、前の曲（音楽データ）を選曲する。「音量調整」処理は、上方向キー２２ａまたは下方向キー２２ｂをキー入力するか、図３（Ａ）または図３（Ｂ）に示すタッチ入力をすればよい。また、上方向キー２２ａのキー入力および図３（Ａ）に示すタッチ入力によって行う「音量調整」処理は、現在の音量に対して音量を上げ、下方向キー２２ｂのキー入力および図３（Ｂ）に示すタッチ入力によって行う「音量調整」処理は、現在の音量に対して音量を下げる。なお、ＬＣＤモニタ２８では、キー入力またはタッチ入力による操作が反映されるように表示内容が変化する。たとえば、「再生」処理を行えば、ＬＣＤモニタ２８に「再生中」の文字列が表示される。
【００４６】
マルチタスク管理機能は、並列的に処理されている複数の処理のそれぞれを複数のタスクとして管理し、さらに、Ａｃｔｉｖｅ（アクティブ：キー入力操作に基づき、機能の処理が可能）またはＩｎＡｃｔｉｖｅ（インアクティブ：キー入力操作に基づき、機能の処理が不可能）を切り替える機能である。ここで、先述した切替キー２２ｆは、押圧されることでＡｃｔｉｖｅ（アクティブ）およびＩｎＡｃｔｉｖｅ（インアクティブ）を切り替えることができる。そして、インアクティブとして音楽プレーヤ機能によって音楽を再生し、アクティブとして電子メール作成サブ機能によって電子メールの作成を行う。
【００４７】
電子メール機能は、電子メール受信サブ機能，電子メール返信サブ機能および電子メール作成サブ機能を含む。電子メール作成サブ機能の起動には、電子メール機能を起動してから電子メール作成サブ機能の起動操作を行えばよい。また、図５に、電子メール作成サブ機能の処理に対応するキー入力の入力対応を示す。なお、電子メール作成サブ機能は、タッチ入力に対応しない。つまり、電子メール作成サブ機能がインアクティブに設定された場合は、タッチ入力による操作は行うことができない。
【００４８】
図５を参照して、「文字入力」処理は、キー操作群に含まれる数字キー０〜数字キー９をキー入力すればよい。また、使用者は、「文字入力」処理によって、ひらがな，アルファベットおよび記号などの文字（文字列）を入力する。「文字変換」処理は、下方向キー２２ｂをキー入力すればよい。また、使用者は、「文字変換」処理によって、入力された平仮名を漢字に変換する。「文字確定」処理は、決定キー２２ｅをキー入力すればよい。また、使用者は、「文字確定」処理によって、平仮名から変換した漢字を確定する。なお、ＬＣＤモニタ２８にはキー入力による操作が反映されるように表示内容が変化する。た
とえば、「文字入力」処理で「こんにちは」と文字を入力すれば、ＬＣＤモニタ２８に「こんにちは」の文字列が表示される。
【００４９】
ここで、先述したマルチタスク管理機能では、図６（Ａ），図６（Ｂ）および図６（Ｃ）に示す表示例のように、ＬＣＤモニタ２８に操作画面などを表示することが可能である。図６（Ａ）は、音楽プレーヤ機能の操作画面をＬＣＤモニタ２８に表示した表示例であり、音楽プレーヤ機能がアクティブに設定されている状態を示す。図６（Ｂ）は、電子メール作成サブ機能の操作画面をＬＣＤモニタ２８に表示した表示例であり、電子メール作成サブ機能がアクティブに設定されている状態を示す。そして、図６（Ｃ）は、音楽プレーヤ機能の操作画面および電子メール作成サブ機能の操作画面を同時に表示した場合の表示例であり、アクティブ表示領域２８１には電子メール作成サブ機能の操作画面、インアクティブ表示領域２８２には音楽プレーヤ機能の操作画面を表示した状態を示す。
【００５０】
ところで、使用者は、音楽を聴きながら電子メールの作成を行う場合に、聴いている音楽データの音量を調節したり、音楽データの選曲をしたりする場合には、切替キー２２ｆによって音楽プレーヤ機能をインアクティブからアクティブに切り替える必要がある。さらに、使用者は、図６（Ａ）に示すように、電子メール作成サブ機能の操作画面が確認できなくなる。つまり、聴いている音楽データの音量を調節したり、音楽データの選曲をしたりする容易な操作のために、ＬＣＤモニタ２８の表示内容を変える必要がある。
【００５１】
そして、キー入力装置２２の複数のキーに、電子メール作成サブ機能および音楽プレーヤ機能を同時に操作できるようにキー入力を割り当てることもできるが、携帯端末１０の限られた表面積の範囲で、キー入力装置２４のキーの数を増やすことはできない。また、少ないキーに電子メール作成サブ機能および音楽プレーヤ機能のキー入力を割り当てるとキー入力による操作性が悪くなる。
【００５２】
そこで、第１実施例では、インアクティブに設定された機能をタッチ入力によって指示された処理を行う。具体的には、インアクティブに設定された機能として音楽プレーヤ機能によって音楽を再生し、アクティブに設定された機能として電子メール作成サブ機能によって電子メールの作成を行う場合に、電子メール作成サブ機能はキー入力によって操作された処理を行い、音楽プレーヤ機能はタッチ入力によって操作された処理を行う。これによって、使用者は、キー入力装置２２またはタッチパネル入力装置２４の操作に応じた処理をさせることができるため、並列的に処理される２つの機能のそれぞれに対応する操作を容易に行うことができる。
【００５３】
たとえば、音楽を聴きながら電子メールの作成を行う場合に、切替キー２２ｆを操作することなく、タッチ入力を行うことで、音楽データの聴いている音楽データの音量を調節や音楽データの選曲などを行うことができる。また、ＬＣＤモニタ２８には、キー入力またはタッチ入力による操作結果が表示されるため、使用者は、キー入力装置２２またはタッチパネル入力装置２４の操作が、意図して行った操作か、意図しないで行った操作かを判別することができる。つまり、図６（Ｃ）に示すようにアクティブに設定した機能およびインアクティブに設定した機能の操作画面を同時に表示する場合には、キー入力装置２２またはタッチパネル入力装置２４のどちらで操作を行っても、使用者は、キー入力装置２２またはタッチパネル入力装置２４の操作が、意図して行った操作か、意図しないで行った操作かを判別することができる。
【００５４】
そして、図６（Ａ）または図６（Ｂ）に示すようにアクティブに設定された機能の操作画面を表示する場合には、つまり使用者がインアクティブに設定された機能の処理の結果をＬＣＤモニタ２８に表示する必要がないと判断すれば、アクティブに設定された機能の処理の結果を表示装置の全体を使って確認することができる。また、アクティブに設定さ
れた機能に対する入力操作は、アクティブに設定された機能の処理結果をＬＣＤモニタ２８で確認しながら行うため、ＬＣＤモニタ２８に設けられたタッチパネル入力装置によってタッチ入力を行うと操作性が悪くなる。一方、インアクティブに設定された機能に対する入力操作は、インアクティブに設定された機能の処理結果がＬＣＤモニタ２８に表示されていないため、タッチ入力を行っても操作性は悪くならない。
【００５５】
ＣＰＵ２０は、μＩＴＲＯＮやＳｙｍｂｉａｎなどのマルチタスクＯＳの制御下で、図７‐図９に示すマルチタスク管理機能の処理を含む複数のタスクを並列的に実行する。なお、これらのタスクに対応する制御プログラムおよびＬＣＤモニタ２８に表示される画像はフラッシュメモリ３４に記憶される。
【００５６】
マルチタスク管理機能の処理について説明する。図７−図９を参照して、ステップＳ１では、音楽プレーヤ機能を起動する。たとえば、音楽プレーヤ機能の起動操作に対応して、音楽プレーヤ機能を起動する。続いて、ステップＳ３では、電子メール作成サブ機能を起動する。たとえば、電子メール機能の起動操作および電子メール作成サブ機能の起動操作に対応して、電子メール作成サブ機能を起動する。次のステップＳ５では、音楽プレーヤ機能をアクティブに設定するか否かを判定する。つまり、ここでは、すでに起動している音楽プレーヤ機能または電子メール作成サブ機能のどちらかをアクティブに設定し、もう一方をインアクティブに設定する。
【００５７】
たとえば、使用者は、ＬＣＤモニタ２８に表示されるアクティブに設定する機能選択画面で、キー入力装置２２によって選択する。なお、使用者がアクティブおよびインアクティブに設定せずに、後から起動した機能（ここでは、電子メール作成サブ機能）がアクティブに設定され、すでに起動している機能（ここでは、音楽プレーヤ機能）がインアクティブに設定されるようにしてもよい。ステップＳ５でＹＥＳであれば、ステップＳ７で音楽プレーヤ機能をアクティブに設定し、電子メール作成サブ機能をインアクティブに設定する。一方、ステップＳ５でＮＯであれば、ステップＳ９で電子メール作成サブ機能をアクティブに設定し、音楽プレーヤ機能をインアクティブに設定する。
【００５８】
次のステップＳ１１では、分割表示するか否かを判定する。つまり、アクティブに設定した機能のみをＬＣＤモニタ２８に表示するか、起動している２つの機能を同時にＬＣＤモニタ２８に表示するかの判定をする。たとえば、電子メール作成サブ機能をアクティブに設定し、音楽プレーヤ機能をインアクティブに設定する場合に、ステップＳ１１でＹＥＳであれば、ステップＳ１３で、電子メール作成サブ機能および音楽プレーヤ機能を同時にＬＣＤモニタ２８に表示する。一方、ステップＳ１１でＮＯであれば、ステップＳ１５で、ＬＣＤモニタ２８にアクティブに設定した電子メール作成サブ機能のみを表示する。
【００５９】
次のステップＳ１７では、インアクティブに設定した機能はタッチ入力に対応するか否かを判定する。ステップＳ１７でＹＥＳであれば、つまり、タッチ入力による操作が行うことができる音楽プレーヤ機能がインアクティブに設定されていれば、図８に示すステップＳ１９で、タッチ入力がされたか否かを判定する。たとえば、タッチパネル入力装置２４によって図３（Ｄ）に対応するタッチ入力が行われたか否かを判定する。ステップＳ１９でＹＥＳであれば、ステップＳ２１で、タッチ入力に基づいてインアクティブに設定した機能を操作する。たとえば、インアクティブに設定された音楽プレーヤ機能の選曲処理を行う。そして、ステップＳ１１でＹＥＳと判定され、分割表示されていれば、選曲処理の結果としてＬＣＤモニタ２８に表示されている曲名の表示を変更し、スピーカ１８から出力されている音声を選曲された曲（音楽データ）の音声に変更する。また、ステップＳ１１でＮＯと判定され、アクティブに設定された機能のみが表示されていれば、ＬＣＤモニタ２８の表示は変更せずに、選曲処理の結果としてスピーカ１８から出力されている音声を選曲された曲（音楽データ）の音声に変更する。
【００６０】
ステップＳ１９でＮＯであれば、ステップＳ２３で、キー入力がされたか否かを判定する。たとえば、キー操作群の数字キー１〜数字キー９などによって、キー入力が行われたか否かを判定する。ステップＳ２３でＹＥＳであれば、ステップＳ２５で、キー入力に基づいてアクティブに設定した機能を操作する。たとえば、アクティブに設定された電子メール作成サブ機能の文字入力処理を行う。そして、文字入力処理の結果としてＬＣＤモニタ２８に、新たな文字列を表示させる。また、ステップＳ２３でＮＯであれば、つまり、タッチ入力およびキー入力のどちらの入力もなければ、ステップＳ１９に戻る。
【００６１】
次のステップＳ２７では、切替キー２２ｆが操作されたか否かを判定する。たとえば、ＣＰＵ２０は、インアクティブに設定した機能をアクティブに設定し、アクティブに設定した機能をインアクティブに設定する操作がされたか否かを判定する。つまり、ステップＳ２７の処理では、切替キー２２ｆによってＬＣＤモニタ２８に表示する表示内容を切り替えることができるため、使用者は、キー入力装置２２またはタッチパネル入力装置２４によって操作する機能（サブ機能）を選ぶことができる。これによって、アクティブに設定された機能をインアクティブに設定された機能と容易に切り替えることができるため、使用者の操作性が高まる。
【００６２】
ステップＳ２７でＹＥＳであれば、ステップＳ５に戻る。一方、ステップＳ２７でＮＯであれば、ステップＳ２９でどちらか一方の機能が終了操作されたか否かを判定する。たとえば、電子メール作成サブ機能が終了操作をされたか否かを判定する。ステップＳ２９でＮＯであれば、ステップＳ１９に戻る。一方、ステップＳ２９でＹＥＳであれば、図１０に示すステップＳ５３（１つの機能での入力制御の処理）に進む。また、図１０に示す１つの機能での入力制御の処理の詳細な説明については後述する。
【００６３】
また、ステップＳ１７でＮＯであれば、つまり、タッチ入力による操作が行うことができない電子メール作成サブ機能がインアクティブに設定されていれば、図９に示すステップＳ３１でキー入力があったか否かを判定する。たとえば、右方向キー２２ｄなどによってキー入力がされたか否かを判定する。ステップＳ３１でＹＥＳであれば、ステップＳ３３で、キー入力に基づいてアクティブに設定した機能を操作する。つまり、アクティブに設定された音楽プレーヤ機能の選曲処理を行う。そして、選曲処理の結果としてＬＣＤモニタ２８に表示されている曲名の表示を変更し、スピーカ１８から出力されている音声を選曲された曲（音楽データ）の音声に変更する。
【００６４】
一方、ステップＳ３１でＮＯであれば、ステップＳ３５でタッチパネル入力があったか否かを判定する。たとえば、タッチパネル入力装置２４によって図３（Ａ）〜図３（Ｆ）に対応するタッチ入力が行われたか否かを判定する。ステップＳ３５でＹＥＳであれば、ステップＳ３７でエラー表示をする。つまり、タッチ入力による操作が行えないことを使用者に伝える画像または文字列をＬＣＤモニタ２８に表示させる。これによって、使用者は、タッチ入力による操作が行えない原因を知ることができる。
【００６５】
また、ステップＳ３５でＮＯであれば、つまり、タッチ入力およびキー入力のどちらの入力もなければ、ステップＳ３１に戻る。次のステップＳ３９では、複数の機能が同時に起動しているか否かを判定する。たとえば、音楽プレーヤ機能および電子メール作成サブ機能が起動しているか否かを判定する。つまり、ステップＳ３９では、マルチタスク管理機能が実行される場合にＹＥＳと判定され、１つの機能での入力制御の処理が実行される場合にＮＯと判定される。なお、マルチタスク管理機能が実行される場合に、ステップＳ３９ではＮＯと判定されることはない。したがって、ステップＳ３９でＮＯと判定される場合については、１つの機能での入力制御の処理（図１０）で説明をする。
【００６６】
ステップＳ３９でＹＥＳであれば、ステップＳ４１で、ステップＳ２７の処理と同様に、切替キー２２ｆが操作されたか否かを判定する。一方、ステップＳ３９でＮＯである場合の説明は、１つの機能での入力制御の処理が実行される場合なので後述する。ステップＳ４１でＹＥＳであれば、ステップＳ５に戻る。一方、ステップＳ４１でＮＯであれば、ステップＳ４３で、ステップＳ２９の処理と同様に、どちらか一方の機能が終了操作されたか否かを判定する。ステップＳ２９でＮＯであれば、ステップＳ３１に戻る。一方、ステップＳ４３でＹＥＳであれば、図１０に示すステップＳ５３（１つの機能での入力制御の処理）に進む。また、図１０に示す１つの機能での入力制御の処理の詳細な説明については後述する。
【００６７】
次に１つの機能での入力制御の処理について説明する。図１０を参照して、ステップＳ５１では、音楽プレーヤ機能を起動する。たとえば、使用者が行う、音楽プレーヤ機能の起動操作に対応して、音楽プレーヤ機能を起動する。次にステップＳ５３では、他の機能と同時に起動したか否かを判定する。つまり、音楽プレーヤ機能以外に電子メール作成サブ機能などを起動したか否かを判定する。ステップＳ５３でＹＥＳであれば、マルチタスク管理機能の処理のステップＳ５（図７参照）に進む。一方、ステップＳ５３でＮＯであれば、つまり音楽プレーヤ機能のみが起動されていれば、ステップＳ５５で、音楽プレーヤ機能をアクティブに設定する。次のステップＳ５７では、アクティブに設定した機能がタッチ入力に対応しているか否かを判定する。たとえば、アクティブに設定された音楽プレーヤ機能がタッチ入力に対応しているか否かを判定する。ここで、アクティブに設定された機能が電子メール作成サブ機能などのタッチ入力に対応していない機能であれば、ステップＳ５７でＮＯと判定されるため、ステップＳ３１−Ｓ３９，ステップＳ４５およびステップＳ４７の処理を行う。
【００６８】
ステップＳ５７でＮＯであれば、図９に示すステップＳ３１に進む。ステップＳ３１−Ｓ３７の処理については先述したため省略する。そして、ステップＳ３９では、ＮＯと判定されるため、ステップＳ４５で、他の機能の起動操作がされたか否かを判定する。たとえば、電子メール作成サブ機能の起動操作がされたか否かを判定する。ステップＳ４５でＹＥＳであれば、マルチタスク管理機能の処理を行うために、ステップＳ５３に戻ってＹＥＳと判定された後にステップＳ５に進む。また、ステップＳ４５でＮＯであれば、つまり他の機能の起動操作が行われなければ、ステップＳ４７で終了操作がされたか否かを判定する。ここで、ステップＳ４７でＹＥＳであれば、つまり終了操作が行われれば、１つの機能での入力制御の処理は終了する。一方、ステップＳ４７でＮＯであれば、つまり終了操作が行われることが無ければステップＳ３１に戻る。
【００６９】
また、ステップＳ５７でＹＥＳであれば、ステップＳ５９でタッチ入力がされたか否かを判定する。たとえば、タッチパネル入力装置２４によって図３（Ｄ）に対応するタッチ入力が行われたか否かを判定する。ステップＳ５９でＹＥＳであれば、ステップＳ６１で、タッチ入力に基づいてアクティブに設定した機能を操作する。たとえば、アクティブに設定された音楽プレーヤ機能の選曲処理を行う。つまり、先述したステップＳ３３と同様の処理を行う。ステップＳ５９でＮＯであれば、ステップＳ６３で、キー入力がされたか否かを判定する。たとえば、左方向キー２２ｃによって、キー入力が行われたか否かを判定する。ステップＳ６３で、ＹＥＳであれば、ステップＳ６５でキー入力に基づいて、アクティブに設定した機能を操作する。たとえば、アクティブに設定された音楽プレーヤ機能の選曲処理を行う。つまり、先述したステップＳ３３と同様の処理を行う。また、ステップＳ６３でＮＯであれば、つまり、タッチ入力およびキー入力のどちらの入力もなければ、ステップＳ５９に戻る。
【００７０】
次のステップＳ６７では、ステップＳ４５の処理と同様に、他の機能の起動操作がされたか否かを判定する。ステップＳ６７でＹＥＳであれば、マルチタスク管理機能の処理を
行うためにステップＳ５３に戻ってＹＥＳと判定された後にステップＳ５に進む。また、ステップＳ６７でＮＯであれば、つまり他の機能の起動操作が行われなければ、ステップＳ６９で、ステップＳ４７の処理と同様に、終了操作がされたか否かを判定する。ステップＳ６９でＹＥＳであれば、つまり終了操作が行われれば、１つの機能での入力制御の処理は終了する。一方、ステップＳ６９でＮＯであれば、つまり終了操作が行われることが無ければステップＳ５９に戻る。
【００７１】
以上の説明から分かるように、第１実施例の携帯端末１０は、複数の機能を並列的に処理する。キー入力装置２２によるキー入力は、アクティブに設定された機能に対して有効となり、タッチパネル入力装置２４によるタッチ入力は、インアクティブに設定された機能に対して有効となる。ステップＳ５の処理では、たとえば電子メール作成サブ機能をアクティブに設定し、音楽プレーヤ機能をインアクティブに設定する。したがって、使用者は、キー入力装置２２の操作に応じてアクティブに設定された機能を処理し、タッチパネル入力装置２４の操作に応じてインアクティブに設定された機能を処理する。これによって、使用者は、並列的に処理される電子メール作成サブ機能および音楽プレーヤ機能のそれぞれに対応する操作を容易に行うことができる。
【００７２】
また、第１実施例では、並列的に処理される電子メール作成サブ機能および音楽プレーヤ機能のそれぞれに対応する操作を容易に行うことができるようにしたが、第２実施例のように、ワンセグ機能に含まれるワンセグＴＶサブ機能およびワンセグＤＡＴＡサブ機能のそれぞれに対応する操作を容易に行えるようにしてもよい。
【００７３】
＜第２実施例＞第２実施例では、第１実施例の説明で使用した図１の携帯端末１０の構成，図２に示す携帯端末通信端末１０の外観図および図３に示すタッチパネル入力装置２４のタッチ入力のパターンが同じであるため、第２実施例の説明ではそれらの図およびその説明を省略する。
【００７４】
第２の実施例では、携帯端末１０の複数の機能にワンセグ機能が含まれる。ワンセグ機能は、主に携帯機器などを受信対象とする地上デジタルテレビジョン放送を受信する機能であり、ワンセグＴＶサブ機能およびワンセグＤＡＴＡサブ機能を含む。そして、ワンセグ機能の処理を行うと、ワンセグＴＶサブ機能およびワンセグＤＡＴＡサブ機能が並列的に処理させる。また、アクティブに設定したサブ機能またはインアクティブに設定したサブ機能を切り替える機能を備える。
【００７５】
これによって、第１実施例と同様に、使用者は、キー入力装置２２またはタッチパネル入力装置２４の操作に応じた処理をさせることができるため、並列的に処理される２つのサブ機能のそれぞれに対応する操作を容易に行うことができる。つまり、使用者は、キー入力装置２２またはタッチパネル入力装置２４の操作が、意図して行った操作か、意図しないで行った操作かを判別することができる。
【００７６】
また、アクティブおよびインアクティブは、第１実施例と同様に、切替キー２２ｆによって切り替えることができる。さらに、地上デジタルテレビジョン放送の信号は、ＤＴＶアンテナ３２によって受信される。
【００７７】
ここで、図１に戻って、ＤＴＶチューナ３０およびＤＴＶアンテナ３２について説明する。ＤＴＶチューナ３０は、キー入力装置２２によって選局操作がされると、ＤＴＶアンテナ３２によって受信した地上デジタルテレビジョン放送の信号から選局されたチャンネルに対応する地上デジタルテレビジョン放送の信号を抽出する。また、ＤＴＶチューナ３０は、その抽出した地上デジタルテレビジョン放送の信号に対してデジタル復調等の処理を行い、復調信号を生成する。当該復調信号は映像放送の復調信号とデータ放送の復調信
号とに分離されＣＰＵ２０に出力する。ＣＰＵ２０は、映像放送の復調信号に対してＭＰＥＧ方式に基づいた復号処理を行い、映像信号を形成する。さらに、ＣＰＵ２０は、データ放送の復調信号に対して復号処理を行い、テキストデータなどを形成する。
【００７８】
次に、図１１（Ａ）〜図１１（Ｃ）を参照して、ワンセグ機能の表示例について説明する。図１１（Ａ）は、アクティブ表示領域２８１およびインアクティブ表示領域２８２の２つの表示領域に分けて、ワンセグＴＶサブ機能およびワンセグＤＡＴＡサブ機能を同時に表示した状態を示す。アクティブ表示領域２８１には、アクティブに設定されたサブ機能が表示され、図１１（Ａ）の表示例では、ワンセグＴＶサブ機能が表示される。インアクティブ表示領域２８２には、インアクティブに設定された機能が表示され、図１１（Ａ）の表示例では、ワンセグＤＡＴＡサブ機能の表示内容、つまり映像放送のみでは使用者に即座に伝わらないテニスの試合についての補足情報（大会の名前および選手の名前など）が表示される。
【００７９】
図１１（Ｂ）は、アクティブに設定したワンセグＴＶサブ機能の表示内容のみをＬＣＤモニタ２８に表示している表示例である。図１１（Ｃ）は、アクティブに設定したワンセグＤＡＴＡサブ機能の表示内容のみをＬＣＤモニタ２８に表示している表示例である。なお、図１１（Ｂ）に示すようにＬＣＤモニタ２８にワンセグＴＶサブ機能を表示した場合は、ワンセグＴＶサブ機能のみがキー入力に対応する。一方、図１１（Ｃ）に示すようにＬＣＤモニタ２８にワンセグＤＡＴＡサブ機能を表示した場合は、ワンセグＤＡＴＡサブ機能のみがキー入力に対応する。
【００８０】
なお、第１実施例と同様に、図１１（Ｂ）または図１１（Ｃ）に示すようにアクティブに設定されたサブ機能の表示画面を表示する場合では、タッチ入力による操作に応じてＬＣＤモニタ２８の表示内容が変わらないため、使用者は、キー入力装置２２またはタッチパネル入力装置２４の操作が、意図して行った操作か、意図しないで行った操作かを判別することができる。さらに、図１１（Ａ）に示すようにアクティブに設定したサブ機能およびインアクティブに設定したサブ機能の操作画面を同時に表示する場合には、キー入力装置２２またはタッチパネル入力装置２４のどちらで操作を行っても、使用者は、キー入力装置２２またはタッチパネル入力装置２４の操作が、意図して行った操作か、意図しないで行った操作かを判別することができる。
【００８１】
図１２は、ワンセグＴＶサブ機能の処理に対応するキー入力およびタッチ入力の入力対応を示す図解図である。図３および図１２を参照して、「選局」処理は、左方向キー２２ｃ，右方向キー２２ｄおよびキー入力操作群に含まれる数字キー１〜数字キー９の何れかをキー入力するか、図３（Ｃ）または図３（Ｄ）に示すタッチ入力をすればよい。「音量調整」処理は、音楽プレーヤ機能と同様に、上方向キー２２ａまたは下方向キー２２ｂをキー入力するか、図３（Ａ）または図３（Ｂ）に示すタッチ入力をすればよい。なお、ＬＣＤモニタ２８にはキー入力またはタッチ入力による操作が反映されるように表示内容が変化する。たとえば、「音量調整」処理を行えば、ＬＣＤモニタ２８に音量を調整した結果を表す数値の数字列が表示される。
【００８２】
図１３は、ワンセグＴＶサブ機能の処理に対応するキー入力およびタッチ入力の入力対応表を示す図解図である。図３および図１３を参照して、「上スクロール」処理は、上方向キー２２ａをキー入力するか、図３（Ａ）に示すタッチ入力をすればよい。「下スクロール」処理は、下方向キー２２ｂをキー入力するか、図３（Ｂ）に示すタッチ入力をすればよい。なお、ＬＣＤモニタ２８にはキー入力またはタッチ入力による操作が反映されるように表示内容が変化する。たとえば、「上スクロール」処理を行えば、ＬＣＤモニタ２８に表示されているカーソルが上方向に移動する。
【００８３】
ＣＰＵ２０は、μＩＴＲＯＮやＳｙｍｂｉａｎなどのマルチタスクＯＳの制御下で、図１４および図１５に示すワンセグ機能の処理を含む複数のタスクを並列的に実行する。なお、これらのタスクに対応する制御プログラムおよびＬＣＤモニタ２８に表示される画像はフラッシュメモリ３４に記憶される。
【００８４】
ワンセグ機能の処理について説明する。図１４および図１５を参照して、ステップＳ１０１では、ワンセグ機能を起動する。たとえば、ワンセグ機能の起動操作に対応して、ワンセグ機能を起動する。続いてステップＳ１０３では、ワンセグＤＡＴＡサブ機能がアクティブか否かを判定する。つまり、ワンセグＤＡＴＡサブ機能がタッチ入力で操作可能な状態か否かを判定する。なお、ワンセグ機能を起動すれば、ワンセグＤＡＴＡサブ機能またはワンセグＴＶサブ機能がアクティブに設定されるようになっていてもよい。
【００８５】
ステップＳ１０３でＹＥＳであれば、つまりワンセグＤＡＴＡサブ機能がアクティブであれば、ステップＳ１０５でワンセグＤＡＴＡサブ機能をアクティブに設定し、ワンセグＴＶサブ機能をインアクティブに設定する。一方、ステップＳ１０３でＮＯであれば、つまりワンセグＤＡＴＡサブ機能がアクティブでなければ、ステップＳ１０７でワンセグＴＶサブ機能をアクティブに設定し、ワンセグＤＡＴＡサブ機能をインアクティブに設定する。
【００８６】
次のステップＳ１０９では、分割表示するか否かを判定する。つまり、アクティブに設定したサブ機能のみをＬＣＤモニタ２８に表示するか、２つのサブ機能を同時にＬＣＤモニタ２８に表示するかの判定をする。たとえば、ワンセグＤＡＴＡサブ機能をアクティブに設定し、ワンセグＴＶサブ機能をインアクティブに設定する場合に、ステップＳ１０９でＹＥＳであれば、ステップＳ１１１で、ワンセグＤＡＴＡサブ機能およびワンセグＴＶサブ機能を同時にＬＣＤモニタ２８に表示する。一方、ステップＳ１０９でＮＯであれば、ステップＳ１１３で、ＬＣＤモニタ２８にアクティブに設定したサブ機能を表示し、さらにステップＳ１１５で、インアクティブに設定したサブ機能はタッチ入力に対応するか否かを判定する。つまり、ワンセグＤＡＴＡサブ機能がインアクティブに設定されているか否かを判定する。
【００８７】
ステップＳ１１１の処理が終わるか、ステップＳ１１５でＮＯと判定されればステップＳ１１７で、タッチ入力がされたか否かを判定する。たとえば、タッチパネル入力装置２４によって図３（Ａ）に対応するタッチ入力が行われたか否かを判定する。ステップＳ１１７でＹＥＳであれば、ステップＳ１１９で、タッチ入力に基づいてインアクティブに設定したサブ機能を操作する。たとえば、インアクティブに設定されたワンセグＴＶサブ機能の音量調整（音量を上げる）処理を行う。そして、ステップＳ１０９でＹＥＳと判定され、分割表示されていれば、音量調整（音量を上げる）処理の結果としてＬＣＤモニタ２８に表示されている音量を調整した結果を表す数値の数字列を変更し、スピーカ１８から出力されている音声の音量が大きくなるように変更する。また、ステップＳ１０９でＮＯと判定され、アクティブに設定されたサブ機能のみが表示されていれば、ＬＣＤモニタ２８の表示は変更せずに、音量調整（音量を上げる）処理の結果としてスピーカ１８から出力されている音声の音量が大きくなるように変更する。
【００８８】
ステップＳ１１７でＮＯであれば、ステップＳ１２１で、キー入力がされたか否かを判定する。たとえば、上方向キー２２ａによって、キー入力が行われたか否かを判定する。ステップＳ１２１でＹＥＳであれば、ステップＳ１２３で、キー入力に基づいてアクティブに設定した機能を操作する。つまり、アクティブに設定されたワンセグＤＡＴＡサブ機能の上スクロール処理を行う。そして、上スクロール処理の結果としてＬＣＤモニタ２８に表示されているカーソルを上方向に移動する。また、ステップＳ１２１でＮＯであれば、つまり、タッチ入力およびキー入力のどちらの入力もなければ、ステップＳ１１７に戻
る。
【００８９】
次のステップＳ１２５では、切替キー２２ｆが操作されたか否かを判定する。たとえば、インアクティブに設定した機能をアクティブに切り替える操作がされたか否かを判定する。つまり、ステップＳ１２５の処理では、切替キー２２ｆによってＬＣＤモニタ２８に表示する表示内容を切り替えることができるため、使用者は、キー入力装置２２またはタッチパネル入力装置２４によって操作するサブ機能を選ぶことができる。これによって、第１実施例と同様に、アクティブに設定されたサブ機能をインアクティブに設定されたサブ機能と容易に切り替えることができるため、使用者の操作性が高まる。
【００９０】
ステップＳ１２５でＹＥＳであれば、ステップＳ１０３に戻る。一方、ステップＳ１２５でＮＯであれば、ステップＳ１２７で終了操作がされたか否かを判定する。ステップＳ１２７でＹＥＳであれば、つまり終了操作が行われれば、ワンセグ機能の処理は終了する。一方、ステップＳ１２７でＮＯであれば、つまり終了操作が行われることが無ければステップＳ１１７に戻る。
【００９１】
上述したステップＳ１１５でＹＥＳであれば、つまりワンセグＤＡＴＡサブ機能がインアクティブに設定されていれば、図１５に示すステップＳ１２９でキー入力があったか否かを判定する。たとえば、上方向キー２２ａなどによって、キー入力が行われたか否かを判定する。ステップＳ１２９でＹＥＳであれば、ステップＳ１３１で、キー入力に基づいてワンセグＴＶサブ機能を操作する。つまり、アクティブに設定されたワンセグＴＶサブ機能を操作する。さらに、たとえばアクティブに設定されたワンセグＴＶサブ機能の音量調整（音量を上げる）操作を行う。そして、音量調整（音量を上げる）処理の結果としてＬＣＤモニタ２８に表示されている音量を調整した結果を表す数値の数字列を変更し、スピーカ１８から出力されている音声の音量が大きくなるように変更する。
【００９２】
一方、ステップＳ１２９でＮＯであれば、ステップＳ１３３でタッチ入力があったか否かを判定する。たとえば、タッチパネル入力装置２４によって図３（Ａ）〜図３（Ｆ）に対応するタッチ入力が行われたか否かを判定する。ここで、ステップＳ１３３でＹＥＳであれば、ステップＳ１３５でエラー表示をする。つまり、タッチ入力による操作が行えないことを使用者に伝える画像または文字列をＬＣＤモニタ２８に表示させる。これによって、第１実施例と同様に、使用者はタッチ入力による操作が行えない原因を知ることができる。
【００９３】
また、ステップＳ１３３でＮＯであれば、つまり、タッチ入力およびキー入力のどちらの入力もなければ、ステップＳ１２９に戻る。続いて、ステップＳ１３７では、ステップＳ１２５と同様に、切替キー２２ｆが操作されたか否かを判定する。ここで、ステップＳ１３７でＹＥＳであれば、ステップＳ１０３に戻る。一方、ステップＳ１３７でＮＯであれば、ステップＳ１３９で、ステップＳ１２７と同様に、終了操作がされたか否かを判定する。ここで、ステップＳ１３９でＹＥＳであれば、つまり終了操作が行われれば、ワンセグ機能の処理は終了する。一方、ステップＳ１３９でＮＯであれば、つまり終了操作が行われることが無ければステップＳ１２９に戻る。
【００９４】
以上の説明から分かるように、第２実施例の携帯端末１０は、ワンセグ機能の処理を行うと、ワンセグＴＶサブ機能およびワンセグＤＡＴＡサブ機能が並列的に処理させる。キー入力装置２２によるキー入力は、アクティブに設定されたサブ機能に対して有効となり、タッチパネル入力装置２４によるタッチ入力は、インアクティブに設定されたサブ機能に対して有効となる。ステップＳ１０３の処理では、たとえばワンセグＤＡＴＡサブ機能をアクティブに設定し、ワンセグＴＶサブ機能をインアクティブに設定する。したがって、使用者は、キー入力装置２２の操作に応じてアクティブに設定されたサブ機能を処理し
、タッチパネル入力装置２４の操作に応じてインアクティブに設定されたサブ機能を処理する。これによって、使用者は、並列的に処理されるワンセグＤＡＴＡサブ機能およびワンセグＴＶサブ機能のそれぞれに対応する操作を容易に行うことができる。
【００９５】
なお、本実施例は、携帯端末１０の通信方式には、ＣＤＭＡ方式だけに限らず、ＰＨＳ方式，ＴＤＭＡ方式，Ｗ‐ＣＤＭＡ方式でもよいことは言うまでもない。また、図３（Ａ）〜図３（Ｆ）に示すタッチ入力以外のタッチ入力が行われた場合は、ステップＳ３７と同様にしてエラー表示を行ってもよい。また、音楽プレーヤ機能および電子メール作成機能について説明したが、インターネットブラウザ機能，ＦＭ／ＡＭラジオ機能，デジタルラジオ機能およびスケジュール機能などであってもよいことは言うまでもない。また、携帯端末１０のみに限らず、ＬＣＤモニタなどを備える携帯型音楽プレーヤやＰＤＡなどの携帯情報端末などであってもよい。
【符号の説明】
【００９６】
１０    …  携帯端末
１８    …  スピーカ
２０    …  ＣＰＵ
２２    …  キー入力装置
２４    …  タッチパネル入力装置
２８    …  ＬＣＤモニタ
３０    …  ＤＴＶチューナ
３２    …  ＤＴＶアンテナ 
【図１】
0005479565.tif 000002
【図２】
0005479565.tif 000003
【図３】
0005479565.tif 000004
【図４】
0005479565.tif 000005
【図５】
0005479565.tif 000006
【図６】
0005479565.tif 000007
【図７】
0005479565.tif 000008
【図８】
0005479565.tif 000009
【図９】
0005479565.tif 000010
【図１０】
0005479565.tif 000011
【図１１】
0005479565.tif 000012
【図１２】
0005479565.tif 000013
【図１３】
0005479565.tif 000014
【図１４】
0005479565.tif 000015
【図１５】
0005479565.tif 000016